(57)【要約】      （修正有）【課題】枕を簡単な作業で消毒し、及び、装置内に収容できる他の物も任意に消毒することを可能とする装置を提供する。【解決手段】消毒される少なくとも１つの枕１２やその他の物を収容するようになっている箱状本体２と、消毒剤を枕１２やその他の物に貫通させてそれらを消毒できるようになっている強制過換気手段９と、消毒剤を生成し放出する手段１０、１１とで構成されており、消毒剤は強制過換気手段９と共同して提供されることを特長とする。強制過換気手段９が電気モータによって駆動されるファン９であり、消毒剤がオゾンである消毒装置。【選択図】図３
2014028143.tif 000002
【特許請求の範囲】
【請求項１】
枕やその他の物を消毒する装置（１）であって、
消毒される少なくとも１つの枕（１２）やその他の物を収容するようになっている箱状本体（２）と、
消毒剤を枕（１２）やその他の物に貫通させてそれらを消毒できるようになっている強制過換気手段（８、９）と共同して提供される消毒剤を、生成し放出する手段（１０、１１）と、を備えている、
ことを特徴とする装置。
【請求項２】
前記強制過換気手段（８、９）が、電気モータによって駆動される少なくとも１つのファン（８、９）を、備えている、
請求項１記載の装置。
【請求項３】
前記消毒剤が、オゾンである、
請求項１記載の装置。
【請求項４】
前記箱状本体（２）の底に、開口（５）を備えているプレート状部材（４）を、備えており、プレート状部材（４）の下方に、強制過換気手段（８、９）が設けられている、
請求項１〜３のいずれか一つに記載の装置。
【請求項５】
前記箱状本体（２）の底に、且つ、プレート状部材（４）及び強制過換気手段（８、９）の下方に、濾過手段（１４）に向けた放出開口を備えた底（６）を、備えている、
請求項１〜４のいずれか一つに記載の装置。
【請求項６】
前記放出開口が、吸引手段（１６）に連結されており、吸引手段（１６）は、次に、前記消毒剤を濾過するための前記濾過手段（１４）に連結されている、
請求項１〜５のいずれか一つに記載の装置。
【請求項７】
前記箱状本体（２）に対して旋回するようになっており、且つ、消毒処理が作動している時は前記箱状本体（２）を完全に閉鎖するようになっている、カバー部材（１５）を、備えている、
請求項１〜６のいずれか一つに記載の装置。
【請求項８】
前記箱状本体（２）が、仕切り（３）によって複数の区画に分割されている、
請求項１〜７のいずれか一つに記載の装置。
【請求項９】
前記枕（１２）やその他の物の追加の処理のために、ＵＶ−Ｃタイプの少なくとも１つのランプ（１３）を、備えている、
請求項１〜８のいずれか一つに記載の装置。
【請求項１０】
前記濾過手段が、前記箱状本体の外側に存在する環境に、連結されている、
請求項１〜９のいずれか一つに記載の装置。
【請求項１１】
加湿器（２１）を備えている、
請求項１〜１０のいずれか一つに記載の装置。
【発明の詳細な説明】
【技術分野】
【０００１】
本発明は、枕やその他の物を消毒する装置に関する。特に、本発明は、装置内に収容できる枕やその他の物を表面的に且つ徹底的に消毒するのを可能にし、枕やその他の物が数人によって使用されるホテルや生活環境にとって特に適している、装置に、関する。
【背景技術】
【０００２】
知られているように、ホテル、モーテル、住宅、休暇村、病院、介護施設等では、リネン製品交換の際の、集めたシーツ、枕カバー、タオル等は、屋内の洗濯場に送られたり、それらを洗浄する外部企業にしばしば送られたりする。
【発明の概要】
【発明が解決しようとする課題】
【０００３】
しかしながら、枕は、定期的に洗濯されるが、ホテルにおいて客と客との滞在の間に洗濯されるとは限らない。
【０００４】
それ故、枕カバーを交換するのが普通であるが、枕自身は、定期的洗濯を受けない場合には、菌、バクテリア、病原菌、ダニの、貯蔵所になってしまう。
【０００５】
枕に人の頭が接触したり口が接触したりすると、多量のバクテリアが、枕に移って吸収され、清潔な枕カバーを使用したとしても、同じ枕を使用する次の人に、移ってしまう、ということは明白である。
【０００６】
本発明の目的は、枕やその他の物を消毒する装置であって、枕を簡単な作業で消毒し、及び、装置内に収容できる他の物も任意に消毒することを、可能とする、装置を、提供することである。その装置は、ある滞在者と次の滞在者との間に枕を交換する必要なく、常に消毒され且つ脱臭されている枕を、人々に提供できる。
【０００７】
この目的内で、本発明の目的は、枕やその他の物を消毒する装置であって、使用者の、呼吸器ヘルス、スキンヘルス、アレルギーヘルスにとって、感染の危険がある媒体を、構成する、枕やその他の物を、殺菌し消毒し脱臭することを、可能とする、装置を、提供することである。
【０００８】
本発明の他の目的は、枕やその他の物を消毒する装置であって、高い信頼性を有し、提供するのが比較的簡単であり、競争価格を有している、装置を、提供することである。
【課題を解決するための手段】
【０００９】
この目的は、以下においてより明らかとなる、これら及び他の目的と同様に、枕やその他の物を消毒する装置であって次の特徴を有する装置によって、達成される。すなわち、その装置は、消毒される枕やその他の物を収容するようになっている箱状本体と、消毒剤を生成し放出する手段と、を備えている、という特徴を有している。消毒剤は、強制過換気手段と共同して提供される。強制過換気手段は、消毒剤を枕やその他の物に貫通させてそれらを消毒できるようになっている。
【００１０】
本発明の更なる特徴及び利点は、添付の図面において非限定的な実施例として説明された、本発明の、好ましいが排他的でない実施形態の、記載から、より明らかとなる。
【図面の簡単な説明】
【００１１】
【図１】本発明の消毒装置の斜視図である。
【図２】本発明の消毒装置の部分切欠き図である。
【図３】本発明の消毒装置の断面側面図である。
【図４】本発明の消毒装置の断面正面図である。
【図５】本発明の消毒装置の平面図である。
【図６】本発明の消毒装置の変形例の側面図である。
【発明を実施するための形態】
【００１２】
図に示されるように、本発明の消毒装置は、概ね符号１で示されており、箱状本体２を備えている。箱状本体２は、消毒される少なくとも１つの枕やその他の物を収容するようになっている。便宜上、箱状本体２は、複数の仕切り３によって分割されている。仕切り３は、枕やその他の物の収容区画を形成するようになっている。
【００１３】
箱状本体２の底は、プレート状部材４を備えており、また、複数の開口５を備えている。プレート状部材４の上には、仕切り３が載っている。平坦な又は傾斜した底６が、プレート状部材４の下に設けられている（傾斜した底は図に示されていない）。
【００１４】
強制過換気手段、例えば、各々が電気モータによって駆動される一対のファン８、９が、底６の上方に設けられている。
【００１５】
本発明の装置は、更に、消毒剤の少なくとも１つの供給源１０と、消毒剤の放出手段１１と、を備えている。消毒剤は、例えば、オゾン等の消毒ガスである。放出手段１１は、消毒される枕１２やその他の物によって占有されている箱状本体２の領域に向けて、消毒剤を放出する。
【００１６】
装置は、更に、追加の処理のために、参照符号１３で示される、ＵＶ−Ｃタイプ等の少なくとも１つのランプを、備えてもよい。ファン８、９によって生じる強制過換気は、消毒される枕３を例えばオゾンである消毒殺菌剤が深く貫通するのを、可能とする。
【００１７】
箱状本体２の底には、濾過手段１４がある。濾過手段１４は、使用されているオゾン又は消毒ガスを、濾過し、一部又は全部を酸素に返還して、大気中へ放出するように、構成されている。
【００１８】
濾過手段１４の上流には、吸引手段１６がある。吸引手段１６は、箱状本体２に収容されたオゾン処理空気を濾過手段１４に向けて運ぶようになっている。
【００１９】
更に、オゾンの使用は、枕の白化作用、大気の酸化作用、及び、枕の脱臭・リフレッシュ作用を、有している。
【００２０】
箱状本体２は、便宜上、カバー部材１５を備えている。カバー部材１５は、消毒剤での処理の間、箱状本体を完全に閉鎖するのを、可能とする。
【００２１】
箱状本体２内に収容されている空気を正確に吸引するために、少なくとも１つの逆止弁１７が設けられている。逆止弁１７は、外部環境と箱状本体２の内部とを連結するのを可能とする。
【００２２】
そして、本発明の装置は、装置の開始及び停止のための、及び、操作パラメーターの設定のための、コントロールキーパッド１８を備えており、それは、１つ以上の電子ボードと連結されている。
【００２３】
本発明の装置は、任意に、ドア２０を備えてもよい。ドア２０は、図６に示されるように、メンテナンス及び／又は清掃作業のために種々の部材へのアクセスを可能とし、又は、ベースから本体２を持ち上げて開くためのシステムへのアクセスを可能とする。
【００２４】
ベースは、ガスケットを介して本体２に連結されており、ガスケットは、ベース部分の密封シールを提供する。
【００２５】
本発明の装置は、加湿器２１を備えてもよい。加湿器２１は、装置の底の近くであってファン８、９の一方の回りに、収容されるのが、好ましい。
【００２６】
それ故、本質的に、本発明の装置は、枕やその他の物を貫通して消毒する、オゾンのような消毒剤の強制過換気、を用いて、枕やその他の物を消毒することを、可能とする。
【００２７】
消毒作用は、（ファンによって生成された）空気流と、枕が収容されている区画内部を画定する仕切り３と、の干渉によって、枕に生成された、機械的作用によって、増大する。
【００２８】
過換気は、湿度を劇的に減少させること、及び、オゾン率を減少させること、を可能とする。それに起因して、装置の消毒サイクルは、非常に短くできる。
【００２９】
装置は、ポリエチレン系材料でできており、ポリエチレンの使用は、消毒処理によって枕から取り出された微粒子を、装置の内壁に引き付けるのを、可能とする。その場合、装置の内壁は、簡単な清掃具によって掃除できる。
【００３０】
このように、ホテル、病院、介護施設、及び休暇村等は、ある滞在者と次の滞在者との間に、枕やその他の物を、通常は起こらないが必ずしも枕を交換する必要なく、安全に清掃でき、それ故、衛生基準を現在のものに対して向上できる。
【００３１】
本発明の装置により実行される処理は、約５分３０秒のサイクルで枕を消毒するので、迅速である。
【００３２】
実際、本発明の消毒装置は、完全に目的を果たすことができる。
【００３３】
上記装置は、種々の改変及び改良を受ける余地があり、それらの全ては、添付の請求項の範囲内である。全ての部材は、他の技術的に等価な部材に交換できる。
【００３４】
実際、使用された材料も付帯する形状及び寸法も、条件及び最新技術に従ういかなるものでもよい。
【図１】
2014028143.tif 000003
【図２】
2014028143.tif 000004
【図３】
2014028143.tif 000005
【図４】
2014028143.tif 000006
【図５】
2014028143.tif 000007
【図６】
2014028143.tif 000008
【外国語明細書】
2014028143.tif 000009
2014028143.tif 000010
2014028143.tif 000011
2014028143.tif 000012
2014028143.tif 000013
2014028143.tif 000014
2014028143.tif 000015
2014028143.tif 000016
2014028143.tif 000017
2014028143.tif 000018
2014028143.tif 000019
2014028143.tif 000020
2014028143.tif 000021
2014028143.tif 000022